(57)【要約】記録媒体により安定して適切な画質の画像を記録し、確実に定着させることが出来るインクジェット記録装置を提供する。インクジェット記録装置（１）は、搬送ベルト（１１３、２１３、３１３）を用いて記録媒体を搬送する搬送部（１１、２１、３１）と、インクを吐出する記録部（１２）と、インクに所定のエネルギー線を照射して硬化定着させる定着部（２３）と、を備え、搬送部は、記録媒体を複数の搬送ベルト間で受け渡しながら各搬送ベルトの移動動作により各々平面内で移動させ、搬送ベルト（１１３）に載置された記録媒体をその移動動作により記録部のインク吐出面に対向させながら所定の第１の平面内で移動させ、搬送ベルト（１１３）により移動された記録媒体を搬送ベルト（２１３）に載置して、その移動動作により所定の第２の平面内で移動させて、エネルギー線の照射範囲を通過させる。
2017203991.tif 000002
【特許請求の範囲】
【請求項１】
記録媒体を載置する搬送部材を用いて前記記録媒体を搬送する搬送部と、
搬送される記録媒体上にインクを吐出する記録部と、
記録媒体上に着弾したインクを定着させる定着部と、
を備え、
前記記録部は所定のエネルギー線により硬化するインクを吐出し、
前記定着部は、前記記録媒体上のインクに前記所定のエネルギー線を照射し、
前記搬送部は、
搬送対象の記録媒体を複数の前記搬送部材の間で受け渡しながら、各搬送部材の移動動作により各々平面内で移動させ、
前記複数の搬送部材のうちの第１の搬送部材に載置された記録媒体を当該第１の搬送部材の移動動作により前記記録部のインク吐出面に対向させながら所定の第１の平面内で移動させ、
前記第１の搬送部材により移動された記録媒体を前記複数の搬送部材のうちの第２の搬送部材に載置して、当該第２の搬送部材の移動動作により所定の第２の平面内で移動させて、前記定着部による前記所定のエネルギー線の照射範囲を通過させる
ことを特徴とするインクジェット記録装置。
【請求項２】
前記記録媒体のうち前記インク吐出面と対向した記録面を読み取る読取部を備え、
前記搬送部は、前記第２の搬送部材の移動動作により移動された記録媒体を前記複数の搬送部材のうちの第３の搬送部材に載置して、当該第３の搬送部材の移動動作により所定の第３の平面内で移動させて、前記読取部による読み取り範囲を通過させる
ことを特徴とする請求項１記載のインクジェット記録装置。
【請求項３】
前記搬送部は、前記複数の搬送部材の移動動作により各々記録媒体が移動される前記平面の位置を調節する調節部を有することを特徴とする請求項１又は２記載のインクジェット記録装置。
【請求項４】
前記複数の搬送部材の移動動作により各々前記記録媒体が移動される前記平面は、単一平面内に定められることを特徴とする請求項１〜３の何れか一項に記載のインクジェット記録装置。
【請求項５】
前記複数の搬送部材の間での前記記録媒体の受け渡しは、前記単一平面内で行われることを特徴とする請求項４記載のインクジェット記録装置。
【請求項６】
設定されたサイズの複数の記録媒体を順次前記搬送部に供給する媒体供給部を備えることを特徴とする請求項１〜５の何れか一項に記載のインクジェット記録装置。
【請求項７】
前記搬送部は、載置される記録媒体の前記搬送部材からの浮き上がりを抑制する浮上抑制部を有することを特徴とする請求項１〜６の何れか一項に記載のインクジェット記録装置。
【請求項８】
前記浮上抑制部は、前記搬送部材の各々に記録媒体を吸着させる吸引部を有することを特徴とする請求項７記載のインクジェット記録装置。
【請求項９】
前記搬送部材は、記録媒体が載置される載置面と、当該載置面の反対面とを貫通する開口を各々有し、
前記吸引部は、前記反対面の側から前記開口を介して前記載置面側の空気を吸引することで前記記録媒体を前記搬送部材に吸着させる  ことを特徴とする請求項８記載のインクジェット記録装置。
【請求項１０】
前記浮上抑制部は、記録媒体を前記搬送部材に押さえつけるローラーを有することを特徴とする請求項７〜９の何れか一項に記載のインクジェット記録装置。
【請求項１１】
前記第１の搬送部材に記録媒体が載置される前に当該記録媒体の温度を調節する温度調節部を備えることを特徴とする請求項１〜１０の何れか一項に記載のインクジェット記録装置。
【請求項１２】
前記第１の搬送部材に記録媒体が載置される位置よりも当該記録媒体の搬送方向について上流側には、記録媒体にコロナ処理を行うコロナ処理部が設けられていることを特徴とする請求項１〜１１の何れか一項に記載のインクジェット記録装置。
【請求項１３】
前記複数の搬送部材は、各々別個の無端状のベルトであることを特徴とする請求項１〜１２の何れか一項に記載のインクジェット記録装置。
【請求項１４】
前記無端状のベルトのうち少なくとも一部はスチールベルトであることを特徴とする請求項１３記載のインクジェット記録装置。
【発明の詳細な説明】
【技術分野】
【０００１】
この発明は、インクジェット記録装置に関する。
【背景技術】
【０００２】
インクをノズルから吐出させて記録媒体に着弾させ、画像を記録するインクジェット記録装置がある。このインクジェット記録装置では、通常の紙材に加えて厚紙、段ボール紙、アクリル板などの樹脂素材や布帛などといった多様な記録媒体上に画像を記録させることが可能となっている。インクジェット記録装置における記録媒体の搬送は、無端状のベルトなどを用いて平面上で行われるものや、円筒状のドラムを用いて回転させながら行われるものなどが広く用いられている。これらのうち、特に、記録媒体の屈曲や湾曲を行わせたくない場合や材質上困難な場合には、無端状ベルトなどを用いて平面上で当該記録媒体の搬送が行われる。【０００３】
インクジェット記録装置では、記録媒体に着弾した液体のインクを確実に当該記録媒体に定着されるために種々の技術が用いられている。そのような技術の一つとして、ＵＶ硬化型のインクを用いて、当該インクが着弾した記録媒体に紫外線を照射することでインクを確実に記録媒体上で固化定着させる技術がある。しかしながら、紫外線が画像の記録時や読取時に混入するとこれら画像の記録や読み取りに悪影響を及ぼすという問題がある。特許文献１には、読み取り対象画像の読み取りに悪影響を与えないための紫外線照射動作制御に係る技術について開示されている。
【先行技術文献】
【特許文献】
【０００４】
【特許文献１】特開２０１５−０１６６２７号公報
【発明の概要】
【発明が解決しようとする課題】
【０００５】
しかしながら、紫外線などのエネルギー線によるインクの硬化に係る化学反応は、熱の出入、主に発熱を伴う。従って、紫外線だけではなく、記録媒体上の熱量の変化が搬送部材を経てこの搬送部材に載置された新たな記録媒体に及んで温度に影響が生じたり、或いは、このような熱量の変化を抑えるような更なる構成の動作の影響が周囲に広がったりすることで、当該記録媒体へのインクの着弾精度や着弾したインクの性質に影響し、画質が低下するという課題がある。【０００６】
この発明の目的は、記録媒体に対してより安定して適切な画質の画像を記録し、確実に定着させることが出来るインクジェット記録装置を提供することにある。
【課題を解決するための手段】
【０００７】
上記目的を達成するため、請求項１記載の発明は、
記録媒体を載置する搬送部材を用いて前記記録媒体を搬送する搬送部と、
搬送される記録媒体上にインクを吐出する記録部と、
記録媒体上に着弾したインクを定着させる定着部と、
を備え、
前記記録部は所定のエネルギー線により硬化するインクを吐出し、
前記定着部は、前記記録媒体上のインクに前記所定のエネルギー線を照射し、
前記搬送部は、
搬送対象の記録媒体を複数の前記搬送部材の間で受け渡しながら、各搬送部材の移動動作により各々平面内で移動させ、
前記複数の搬送部材のうちの第１の搬送部材に載置された記録媒体を当該第１の搬送部材の移動動作により前記記録部のインク吐出面に対向させながら所定の第１の平面内で移動させ、
前記第１の搬送部材により移動された記録媒体を前記複数の搬送部材のうちの第２の搬送部材に載置して、当該第２の搬送部材の移動動作により所定の第２の平面内で移動させて、前記定着部による前記所定のエネルギー線の照射範囲を通過させる
ことを特徴としている。【０００８】
また、請求項２記載の発明は、請求項１記載のインクジェット記録装置において、
前記記録媒体のうち前記インク吐出面と対向した記録面を読み取る読取部を備え、
前記搬送部は、前記第２の搬送部材の移動動作により移動された記録媒体を前記複数の搬送部材のうちの第３の搬送部材に載置して、当該第３の搬送部材の移動動作により所定の第３の平面内で移動させて、前記読取部による読み取り範囲を通過させる
ことを特徴としている。【０００９】
また、請求項３記載の発明は、請求項１又は２記載のインクジェット記録装置において、
前記搬送部は、前記複数の搬送部材の移動動作により各々記録媒体が移動される前記平面の位置を調節する調節部を有することを特徴としている。【００１０】
また、請求項４記載の発明は、請求項１〜３の何れか一項に記載のインクジェット記録装置において、
前記複数の搬送部材の移動動作により各々前記記録媒体が移動される前記平面は、単一平面内に定められることを特徴としている。【００１１】
また、請求項５記載の発明は、請求項４記載のインクジェット記録装置において、
前記複数の搬送部材の間での前記記録媒体の受け渡しは、前記単一平面内で行われることを特徴としている。【００１２】
また、請求項６記載の発明は、請求項１〜５の何れか一項に記載のインクジェット記録装置において、
設定されたサイズの複数の記録媒体を順次前記搬送部に供給する媒体供給部を備えることを特徴としている。【００１３】
また、請求項７記載の発明は、請求項１〜６の何れか一項に記載のインクジェット記録装置において、
前記搬送部は、載置される記録媒体の前記搬送部材からの浮き上がりを抑制する浮上抑制部を有することを特徴としている。【００１４】
また、請求項８記載の発明は、請求項７記載のインクジェット記録装置において、
前記浮上抑制部は、前記搬送部材の各々に記録媒体を吸着させる吸引部を有することを特徴としている。【００１５】
また、請求項９記載の発明は、請求項８記載のインクジェット記録装置において、
前記搬送部材は、記録媒体が載置される載置面と、当該載置面の反対面とを貫通する開口を各々有し、
前記吸引部は、前記反対面の側から前記開口を介して前記載置面側の空気を吸引することで前記記録媒体を前記搬送部材に吸着させる
ことを特徴としている。【００１６】
また、請求項１０記載の発明は、請求項７〜９の何れか一項に記載のインクジェット記録装置において、
前記浮上抑制部は、記録媒体を前記搬送部材に押さえつけるローラーを有することを特徴としている。【００１７】
また、請求項１１記載の発明は、請求項１〜１０の何れか一項に記載のインクジェット記録装置において、
前記第１の搬送部材に記録媒体が載置される前に当該記録媒体の温度を調節する温度調節部を備えることを特徴としている。【００１８】
また、請求項１２記載の発明は、請求項１〜１１の何れか一項に記載のインクジェット記録装置において、
前記第１の搬送部材に記録媒体が載置される位置よりも当該記録媒体の搬送方向について上流側には、記録媒体にコロナ処理を行うコロナ処理部が設けられていることを特徴としている。【００１９】
また、請求項１３記載の発明は、請求項１〜１２の何れか一項に記載のインクジェット記録装置において、
前記複数の搬送部材は、各々別個の無端状のベルトであることを特徴としている。【００２０】
また、請求項１４記載の発明は、請求項１３記載のインクジェット記録装置において、前記無端状のベルトのうち少なくとも一部は、スチールベルトであることを特徴としている。
【発明の効果】
【００２１】
本発明に従うと、インクジェット記録装置により記録媒体に対してより安定して適切な画質の画像を記録し、確実に定着させることが出来るという効果がある。
【図面の簡単な説明】
【００２２】
【図１】本発明の実施形態のインクジェット記録装置の全体構成を示す模式図である。
【図２】第１搬送部から第２搬送部にかけての構造を側面から見た場合を示す模式図である。
【図３】第３搬送部とその脚部を示す斜視図である。
【図４】インクジェット記録装置の機能構成を示すブロック図である。
【図５】本実施形態のインクジェット記録装置の変形例の一部を示す図である。
【発明を実施するための形態】
【００２３】
以下、本発明の実施の形態を図面に基づいて説明する。
図１は、本実施形態のインクジェット記録装置１の全体構成を示す模式図である。
インクジェット記録装置１は、媒体供給部５０と、媒体加熱部６０（温度調節部）と、第１搬送部１１及び記録部１２と、第２搬送部２１、定着部２３及び冷却部２４と、第３搬送部３１及び読取部３５と、媒体排出部５５などを備える。
【００２４】
媒体供給部５０は、媒体積載部５０１と、位置合わせ部５０２などを有する。媒体積載部５０１には、平面状のプレート（トレー）が設けられて記録媒体Ｐ、ここでは、特に限られるものではないが設定されたサイズのダンボール紙が複数積載され、積載量に応じてプレートが上下することで、最上部の記録媒体Ｐが略水平に位置合わせ部５０２に順次送り出される。
位置合わせ部５０２は、記録媒体Ｐの位置、特に記録媒体の搬送方向に垂直な幅方向について所定の位置に合わせるガイド部材などを備え、適切な位置及びタイミングで第１搬送部１１に記録媒体Ｐを送り出す。
【００２５】
媒体加熱部６０は、複数の加熱ローラー６０１が記録媒体Ｐを両側から挟み込み、回転動作により当該記録媒体Ｐを搬送させながら当該記録媒体Ｐを加熱する。複数の加熱ローラー６０１には、軸芯状の媒体ヒーター６１１が設けられており、当該加熱ローラー６０１の表面が加熱されて熱を記録媒体Ｐに伝えることで記録媒体Ｐを加熱する。媒体ヒーター６１１としては、例えば、電流によりジュール熱を生じる電熱シートなどが用いられる。
【００２６】
また、加熱ローラー６０１から第１搬送部１１の一部に亘って加熱室６０５が設けられており、空気ヒーター６１２により加熱室６０５の温度が一定に保たれて、媒体ヒーター６１１により加熱された記録媒体Ｐの温度むらを軽減して略一様な温度とする。空気ヒーター６１２としては、例えば、赤外線を照射する赤外線ヒーターなどが挙げられる。
【００２７】
第１搬送部１１は、駆動ローラー１１１と、従動ローラー１１２と、無端状の搬送ベルト１１３（第１の搬送部材、無端状のベルト）と、第１吸着部１１４と、押圧ローラー１１５（ローラー）と、第１押圧モーター１１７などを備える。
【００２８】
図２は、第１搬送部１１から第２搬送部２１にかけての構造を側面から見た場合を示す模式図である。
無端状の搬送ベルト１１３は、ここでは、例えば、スチールベルトである。搬送ベルト１１３は、駆動ローラー１１１と従動ローラー１１２との間に架け渡されて周回動作（移動動作）する。媒体加熱部６０から加熱ローラー６０１の回転に伴って送られた搬送対象の記録媒体Ｐは、搬送ベルト１１３の外周側の面（記録媒体Ｐの載置面）が上向きで水平に（第１の平面内で）移動する区間において当該載置面に載置されて搬送ベルト１１３の周回移動に伴って搬送される。この区間では、記録媒体Ｐ及び搬送ベルト１１３（載置面）は、記録部１２の各ヘッドユニット１２Ｙ、１２Ｍ、１２Ｃ、１２Ｋのノズルからインクが吐出される面（インク吐出面）と対向する。搬送ベルト１１３は、載置面側から当該載置面とは反対側の面へと空気が通過可能に両面間を貫通する多数の開口が所定のパターンで設けられた構造となっている。第１搬送部１１、特には限られないが、例えば、駆動ローラー１１１の駆動軸には、図示略の動作量（回転量）計測部、ここでは、エンコーダー（ロータリーエンコーダー）が設けられ、周回移動距離を計測可能とされている。
【００２９】
加熱室６０５は、上述のように、記録媒体Ｐが搬送ベルト１１３の載置面上に載置される区間のうち搬送方向について上流部分の一部を囲うように設けられ、記録媒体Ｐは、この加熱室６０５の内部で搬送ベルト１１３上に載置される。なお、図１では、加熱室６０５の壁面を透過して内部が視認可能とされているが、内部が視認可能である必要はない。
【００３０】
押圧ローラー１１５は、記録媒体Ｐが搬送ベルト１１３の載置面に載置される際に第１押圧モーター１１７の動作に従って当該記録媒体Ｐの載置面からの浮き上がりを防止（抑制）して載置面に密着させながら記録媒体Ｐを搬送方向に移動させる。押圧ローラー１１５は、記録媒体Ｐが圧縮されない程度、特に、ここでは段ボール紙の中芯が不可逆的に潰れない範囲で押圧し、押圧ローラー１１５の表面の移動速度が搬送ベルト１１３の移動速度と同一となるように回転速度が制御される。なお、押圧ローラー１１５は、回転駆動されず、記録媒体Ｐの移動に従って回転するのみの構成であっても良い。
【００３１】
第１吸着部１１４は、記録媒体Ｐを載置面に吸着させる。第１吸着部１１４は、例えば、載置面をなす搬送ベルト１１３を載置面と反対側の面で支える支持板１１４２と、第１吸引ファン１１４３（吸引部）などを有する。第１吸引ファン１１４３は、搬送ベルト１１３の内周面に囲まれた内部に設けられ、支持板１１４２には、第１吸引ファン１１４３の動作により搬送ベルト１１３の載置面側から第１吸引ファン１１４３まで吸引された空気が通過可能に多数の透過孔が設けられている。或いは、人工的に設けられた透過孔を有する支持板の代わりに多孔質体が用いられても良い。
【００３２】
記録部１２は、記録媒体Ｐの搬送方向について加熱室６０５よりも下流側に設けられている。記録部１２は、複数のノズルを有し、当該複数のノズルから各々インクを吐出させる。記録部１２は、搬送ベルト１１３の外周面と対向する面がノズルの開口面となっていて、複数のノズルの開口部から吐出されたインクは、記録媒体Ｐの記録部１２と対向する面（記録面）に着弾する。ここでは、記録部１２は、複数のノズル開口部がノズルの開口面に沿って記録媒体Ｐの搬送方向に垂直な幅方向について、本実施形態のインクジェット記録装置１で画像記録が可能な最大サイズとして設定された最大幅に亘って所定の間隔で設けられたラインヘッド構造となっている。即ち、インクの吐出時には、搬送ベルト１１３に対して記録部１２が固定され、記録媒体Ｐを搬送方向に移動させながら各ノズルから順次インクを吐出させることで、二次元画像を記録することが可能となっている。
記録部１２は、複数のインク種別（色）、ここでは、Ｙ（イエロー）、Ｍ（マゼンタ）、Ｃ（シアン）、Ｋ（黒色）の４色について各々ヘッドユニット１２Ｙ、１２Ｍ、１２Ｃ、１２Ｋが設けられて順番に各種別のインクを記録媒体Ｐに吐出する。或いは、記録部１２は、これら４色以外のインク種別、例えば、オレンジ、グリーン、バイオレット、レッド、ブルー、ホワイトなど各色のインク（特色インク組成物）や、淡色インク組成物、濃色インク組成物、及び／又は透明インク組成物などを用いて／追加して記録媒体Ｐに吐出する構成であっても良い。ここで吐出されるインクは、紫外線（所定のエネルギー線）が照射されることで安定的に硬化する紫外線硬化型インクである。
【００３３】
第２搬送部２１は、第１搬送部１１により搬送された記録媒体Ｐを受けて搬送し、当該記録媒体Ｐを、定着部２３による紫外線の照射範囲を通過させる。第２搬送部２１は、駆動ローラー２１１と、従動ローラー２１２と、無端状の搬送ベルト２１３（第２の搬送部材）と、第２吸着部２１４と、押圧ローラー２１５、２１６と、第２押圧モーター２１７と、冷却部２４などを有する。これらの構成は、押圧ローラー１１５の代わりに２つの押圧ローラー２１５、２１６が設けられ、冷却部２４を有している点を除き、第１搬送部１１における駆動ローラー１１１（及び動作量計測部）、従動ローラー１１２、搬送ベルト１１３、第１吸着部１１４及び第２押圧モーター２１７の構成と同一であり、これらについては詳しい説明を省略する。
【００３４】
押圧ローラー２１５、２１６は、記録媒体Ｐの幅方向両端をそれぞれ押圧する。第１搬送部１１上で記録部１２により吐出されて記録媒体Ｐに着弾したインクは、第２搬送部２１に受け渡された時点ではまだ定着されていない。従って、この状況でインクの着弾部分を押圧して着弾したインクを乱さないように、押圧ローラー２１５、２１６は、幅方向両端の余白部分のみを押圧する。押圧ローラー２１５、２１６の幅方向についての位置は、ユーザーにより及び／又は制御部４０の制御により変更可能となっている。
【００３５】
搬送ベルト２１３の外周面（載置面）のうち記録媒体Ｐが載置されて平行移動される区間の高さ（第２の平面）は、搬送ベルト１１３の外周面（載置面）のうち記録媒体Ｐが載置されて平行移動される区間の高さと等しく定められ、また、記録媒体Ｐが搬送ベルト１１３から搬送ベルト２１３に直接受け渡されることで、当該記録媒体Ｐの高さが変化せずに単一平面内で移動搬送される。
ここでいう等しいとは、厳密に等しい場合に限られず、通常の機械装置の組み立て設定で目視上略等しい程度の精度で十分であり、例えば、１ｃｍ以下程度、より好ましくは１ｍｍ以下程度の範囲内で等しいことをいう。
【００３６】
定着部２３は、搬送ベルト２１３により搬送される記録媒体Ｐに着弾したインクを定着させる。定着部２３は、紫外線の照射部を備え、記録媒体Ｐ上の紫外線硬化型インクに対して紫外線を照射する。
定着部２３から照射される紫外線は、搬送ベルト２１３の載置面に記録媒体Ｐが載置される区間で当該載置された記録媒体Ｐに対して大きなむら（強度のばらつき）なく照射されるのが好ましい。一方で、当該区間外に漏れる紫外線強度を低減させるために、定着部２３による紫外線の照射範囲の周囲を覆うように遮光板２３１が設けられている。
これら搬送ベルト２１３の載置面上における少なくとも紫外線照射範囲及び定着部２３は、インクの種別などに応じて筐体内に収容され、当該筐体内部（或いは、筐体を設けずに遮光板２３１で覆われた領域）に特定の気体、例えば、窒素ガスなどを充填することで定着の効果を維持向上させることが出来る。この場合、筐体（遮光板２３１）内部に熱が篭らないように、上述の特定の気体の循環冷却や、筐体の冷却などが適宜行われれば良い。
【００３７】
冷却部２４は、定着部２３の動作による記録媒体Ｐ上のインクの定着に係る発熱、及び定着部２３自体の発熱に伴って加熱された搬送ベルト２１３を冷却する。冷却部２４は、例えば、冷却ファンを有し、当該冷却ファンの動作により搬送ベルト２１３を空冷する。冷却部２４は、搬送ベルト２１３の載置面に記録媒体Ｐが載置されない区間において当該載置面と対向して設けられる。
なお、冷却部２４は、ここでは、搬送ベルト２１３を冷却する構成として設けられたが、定着部２３の紫外線の照射部自体を冷却する構成を備えて、長時間の画像記録時における照射部の過熱を防止する構成であっても良い。
【００３８】
第３搬送部３１は、駆動ローラー３１１と、従動ローラー３１２と、無端状の搬送ベルト３１３（第３の搬送部材）と、第３吸着部３１４と、押圧ローラー３１５と、第３押圧モーター３１７などを有し、第２搬送部２１により搬送された記録媒体Ｐを受けて読取部３５の読み取り範囲内を通過させる。これらの駆動ローラー３１１、従動ローラー３１２及び搬送ベルト３１３の構成は、駆動ローラー１１１（及び動作量計測部）、従動ローラー１１２、搬送ベルト１１３、第１吸着部１１４、押圧ローラー１１５及び第１押圧モーター１１７と同一であり、詳しい説明を省略する。
【００３９】
搬送ベルト３１３の外周面（載置面）のうち記録媒体Ｐが載置されて平行移動される区間（第３の平面）の高さは、搬送ベルト２１３の外周面（載置面）のうち記録媒体Ｐが載置される区間の高さと等しく定められ、記録媒体Ｐは、搬送ベルト２１３の載置面から搬送ベルト３１３の載置面に対して直接同一平面内で受け渡される。即ち、記録媒体Ｐは、第１搬送部１１で搬送ベルト１１３に載置されてから第３搬送部３１で搬送ベルト３１３から取り除かれるまで単一平面内で移動及び受け渡しがなされる。
【００４０】
読取部３５は、搬送ベルト３１３により搬送される記録媒体Ｐの記録面を読み取る。読取部３５は、例えば、ラインセンサーなどの撮像部を有する。ラインセンサー（撮像部）は、搬送ベルト３１３の載置面と対向する面に撮像素子が記録部１２によるインク吐出可能な幅に亘って配列され、一次元画像を撮像する。また、ラインセンサーは、記録媒体Ｐの搬送速度（即ち、各搬送部１１、２１、３１のエンコーダーの計測値と経過時間）に応じた間隔で撮像を繰り返すことで、二次元画像を取得することが出来る。
【００４１】
図３は、第３搬送部３１とそのフレームを示す斜視図である。
第３搬送部３１は、記録媒体Ｐの搬送方向に垂直な幅方向両端を柵部３２１で囲われ、当該柵部３２１から鉛直方向下方に伸びる脚部３２２で床面に対して支持されている。脚部３２２には、高さを調節するための調節部３２３が設けられており、ユーザーが高さを変更して隣り合う第２搬送部２１の搬送面と同じ高さになるように調整を行うことが出来る。第１搬送部１１及び第２搬送部２１についても、同様の構成とすることが出来る。
【００４２】
なお、調節部３２３の動作は、ここではユーザーが手作業で行うものとしたが、ラックレールと歯車などを用いて歯車を電気的に動作させることで調整を行わせても良い。また、この設定される移動先もユーザーが手動で定めても良いし、センサーなどを用いて隣り合う搬送面との高さの差を検出して自動で行われることとしても良い。
【００４３】
媒体排出部５５は、第３搬送部３１により搬送された記録媒体Ｐをユーザーに取り出されるまで載置して保持する。媒体排出部５５は、排出トレー５５１（プレート）を備え、この排出トレー５５１上に画像記録の終了した記録媒体Ｐが順番に重ねられていく。排出トレー５５１は、記録媒体Ｐが第３搬送部３１の搬送面から送出可能なように当該搬送面より低く設定されており、載置された記録媒体Ｐの分量によって上下可能であっても良い。
【００４４】
上述の搬送ベルト１１３、２１３、３１３が搬送部材をなす。
また、第１搬送部１１では、第１吸着部１１４及び押圧ローラー１１５が浮上抑制部を構成している。第２吸着部２１４、押圧ローラー２１５、２１６が第２搬送部２１の浮上抑制部を構成している。第３吸着部３１４、押圧ローラー３１５が第３搬送部３１の浮上抑制部を構成している。
【００４５】
第１搬送部１１、第２搬送部２１及び第３搬送部３１において記録媒体Ｐが搬送ベルト１１３、２１３、３１３にそれぞれ載置される区間の長さは、特に、各搬送部における機能動作（記録、定着、読み取り）に係る構成の前後での長さが確保された方が各機能動作（主に記録及び読み取り）の間に記録媒体Ｐが搬送部の間を跨いだり搬送面上から外れたりしなくなることにより、当該記録媒体Ｐが折れ曲がったり搬送速度が変化したりすることによる位置精度の低下の影響を低減、抑止することが出来るので、長いほうが記録媒体Ｐの安定性が増す。その一方で、これらの区間が長くなると、インクジェット記録装置１の配置スペースとして当該区間に応じた長さ（搬送距離）を確保する必要があり、また、搬送距離の延長に応じた動力、即ち、電力消費の増大にも繋がり、更に、長さに応じた精度の低下（膨張、伸縮、移動速度の均一さなど）の影響も大きくなる。従って、これらの区間の長さは、必要以上には長くせずにバランスをとって定められる。例えば、第１搬送部１１の載置面上の記録媒体Ｐに対して画像の記録が開始されるタイミングでは、既に加熱ローラー６０１と当該記録媒体Ｐとが接触しない状態になっており、及び／又は、画像の記録が終了するタイミング前には記録媒体Ｐが第２搬送部２１の搬送ベルト２１３に接触しないように長さ及び配置を定めることが出来る。
【００４６】
図４は、本実施形態のインクジェット記録装置１の機能構成を示すブロック図である。
インクジェット記録装置１は、制御部４０と、第１搬送モーター１１８、第２搬送モーター２１８、第３搬送モーター３１８及び搬送制御部４１８と、第１押圧モーター１１７、第２押圧モーター２１７、第３押圧モーター３１７及び押圧制御部４１７と、第１吸引ファン駆動部１１４１、第２吸引ファン駆動部２１４１、第３吸引ファン駆動部３１４１及び吸引制御部４１４と、ヘッド駆動部１２１及びヘッド制御部４２１と、媒体ヒーター６１１、空気ヒーター６１２、搬送面温度計測部６１９及び搬送部加熱制御部４１３と、インクヒーター１２３、インク温度計測部１２２及びインク加熱制御部４２２と、定着部２３及び定着制御部４３と、冷却制御部４４及び冷却ファン駆動部２４１と、読取部３５及び読取制御部４５と、操作表示部７１と、通信部７２などを備える。
【００４７】
これらのうち、搬送制御部４１８、押圧制御部４１７、吸引制御部４１４、ヘッド制御部４２１、搬送部加熱制御部４１３、インク加熱制御部４２２、読取制御部４５、定着制御部４３及び冷却制御部４４をまとめて個別動作制御部と記す。これらの個別動作制御部は、制御部４０の各ハードウェア構成が併用されても良いし、別個に専用のＣＰＵ、メモリーや論理回路などが用意されていても良い。
【００４８】
制御部４０は、ＣＰＵ（Central Processing Unit）４０１と、ＲＡＭ（Random Access Memory）４０２と、記憶部４０３などを有する。制御部４０は、記憶部４０３から読み出された制御用のプログラム４０３ａや設定データをＲＡＭ４０２に一時記憶させて、当該一時記憶データに基づいてＣＰＵ４０１が制御処理を行う。記憶部４０３は、繰り返し読み書きが可能な不揮発性メモリーやＨＤＤ（Hard Disk Drive）などの補助記憶部を有する。記憶部４０３の一部には、読み出しのみが可能なＲＯＭが用いられても良い。
【００４９】
制御部４０（ＣＰＵ４０１）は、インクジェット記録装置１の動作を統括制御する。制御部４０は、通信部７２を介して外部から取得された画像記録に係る命令及び当該記録画像データ、即ち、プリントジョブに基づいて、個別動作制御部を介してインクジェット記録装置１の各部の動作制御を行う。
【００５０】
操作表示部７１は、ユーザー操作を受け付けたり、ユーザーにステータス情報や動作メニューなどを示すための表示を行ったりする。操作表示部７１は、操作受付部としての操作検出部７１１と、表示部７１２とを有する。表示部７１２は、表示画面、例えば、ＬＣＤ（液晶ディスプレイ）を備え、制御部４０からの制御信号に応じて当該ＬＣＤに各種表示を行わせる。また、操作検出部７１１は、例えば、ＬＣＤ上に重ねて配置されたタッチセンサーを備え、ＬＣＤの表示位置と対応した位置座標における操作を検出して検出信号を制御部４０に出力する。
【００５１】
通信部７２は、ＰＣなどの外部機器との通信接続を行い、各種通信規格に従ってデータ通信を行うためのインターフェイスである。この通信部７２としては、例えば、ＬＡＮ接続用のネットワークカードや、ブルートゥース通信（登録商標：Bluetooth）などを利用した無線通信インターフェイスなどが挙げられる。或いは、通信部７２は、ＵＳＢによる外部機器との直接接続に係る接続端子及びドライバーなどであっても良い。制御部４０は、通信部７２を介して外部機器からプリントジョブやインクジェット記録装置１の各種制御設定データなどを取得する。
【００５２】
ヘッド駆動部１２１は、ヘッド制御部４２１からの制御信号や記録対象の画像データに応じて各ヘッドユニット１２Ｙ、１２Ｍ、１２Ｃ、１２Ｋに設けられた負荷（ピエゾ型のインクジェット記録装置における圧電素子やサーマル型のインクジェット記録装置における発熱体など）に適切なタイミングで電力を供給して動作させ、各ノズルの開口部からインクを吐出させる。
【００５３】
冷却ファン駆動部２４１は、冷却制御部４４の制御に基づいて冷却部２４の冷却ファンを適切な回転速度で回転動作させる。
第１吸引ファン駆動部１１４１は、吸引制御部４１４の制御に基づいて第１吸着部１１４の第１吸引ファンを適切な回転速度で回転動作させる。
第２吸引ファン駆動部２１４１は、吸引制御部４１４の制御に基づいて第２吸着部２１４の第２吸引ファンを適切な回転速度で回転動作させる。
第３吸引ファン駆動部３１４１は、吸引制御部４１４の制御に基づいて第３吸着部３１４の第３吸引ファンを適切な回転速度で回転動作させる。
【００５４】
媒体ヒーター６１１は、搬送部加熱制御部４１３の制御に基づいてインク着弾時に記録媒体Ｐが適切な温度範囲となるように加熱ローラー６０１の表面を介して記録媒体Ｐを加熱する。空気ヒーター６１２は、加熱室６０５の内部を適切な温度に加熱する。インクヒーター１２３は、インク加熱制御部４２２の制御に基づいてインクタンクから各ヘッドユニット１２Ｙ、１２Ｍ、１２Ｃ、１２Ｋに供給されたインクが適切な温度で吐出されるようにインク流路やその周辺部材を加熱する。
【００５５】
搬送面温度計測部６１９及びインク温度計測部１２２は、これら媒体ヒーター６１１、空気ヒーター６１２及びインクヒーター１２３による加熱状況を適切に保つために搬送ベルト１１３又は当該搬送ベルト１１３上に載置された記録媒体Ｐの表面温度、及びインク流路又は当該インク流路内のインク温度をそれぞれ計測して、搬送部加熱制御部４１３及びインク加熱制御部４２２に各計測結果を出力する。
搬送面温度計測部６１９及び搬送部加熱制御部４１３は、温度調節部に含まれても良い。
【００５６】
搬送制御部４１８は、第１搬送モーター１１８、第２搬送モーター２１８及び第３搬送モーター３１８の動作を制御して記録媒体Ｐを適切な速度で搬送させる。この場合、各搬送部１１、２１、３１や媒体加熱部６０の加熱ローラー６０１による搬送速度は、適切に維持される必要がある。各搬送速度が全て同一とされるか、少なくとも搬送方向について下流側での搬送速度の方が僅かに（１％以内など）速くなる程度に設定される。
押圧制御部４１７は、第１押圧モーター１１７、第２押圧モーター２１７及び第３押圧モーター３１７の動作を制御して、記録媒体Ｐにしわや浮き上がりが生じないようにしながら当該記録媒体Ｐを第１搬送部１１の搬送ベルト１１３、第２搬送部２１の搬送ベルト２１３、第３搬送部３１の搬送ベルト３１３の外周面にそれぞれ載置させる。
読取制御部４５は、読取部３５の動作を制御して、記録媒体Ｐの搬送タイミング及び速度に応じて適切な位置の記録画像を撮像させる。
定着制御部４３は、定着部２３の動作を制御して、記録媒体Ｐ上に記録された画像に係るインクを定着させる。
【００５７】
本実施形態のインクジェット記録装置１では、上述のように、機能構成ごとに異なる搬送部１１、２１、３１の搬送ベルト１１３、２１３、３１３の間で記録媒体Ｐが受け渡されながら搬送されていくので、組立時には適切な位置関係で配置され、また、各機能構成の動作タイミングが適切に設定される必要がある。組み立て時の位置設定精度は、インク吐出位置に要求される位置精度（例えば２０μｍ）などと比較して遥かに低い。従って、ここでは、第１搬送部１１の搬送ベルト１１３上で搬送方向に幅を有して又は搬送方向に異なる複数の位置に各々形成された所定のテスト画像や記録媒体Ｐの上流側／下流側端部が第３搬送部３１の搬送ベルト３１３上で読取部３５により読み取られたタイミングまでの経過時間及び上述の各搬送部１１、２１、３１に設けられた動作量計測部（エンコーダー）の計測値に基づいて、記録媒体Ｐの媒体供給部５０からの送出タイミング、記録部１２の記録位置、及び読取部３５の読取位置の間の距離及び速度がそれぞれ同定される。或いは、位置合わせ部５０２、各搬送部１１、３１（及び、必要に応じて第２搬送部２１）が各々記録媒体Ｐを検知する検出センサーを有していても良い。同定された距離や速度ずれデータなどは、記憶部４０３に記憶され、また、必要に応じて補正され、これらを用いて高精度で位置やタイミングの調整が行われる。
【００５８】
なお、テスト画像の記録動作自体にノズルからのインク吐出動作に係る動作不良が含まれると、正確な設定が出来なくなるので、距離などの同定動作と、動作不良の検出動作とは、並行して行われ得る。
【００５９】
図５は、本実施形態のインクジェット記録装置の変形例の一部を示す図である。
この変形例のインクジェット記録装置１ａでは、媒体供給部５０の位置合わせ部５０２と媒体加熱部６０の加熱室６０５との間にコロナ処理部が設けられている。
【００６０】
コロナ処理部は、第４搬送部９１と、電極９１４などを備える。第４搬送部９１は、駆動ローラー９１１及び従動ローラー９１２と、これらの間に架け渡された搬送ベルト９１３などを備え、搬送ベルト９１３が接地されて電極９１４との間に高電位差を生じさせてコロナ放電を行わせる。これにより、特に記録媒体Ｐが各種樹脂製のシートなどでインクの定着に向かない材質の場合などに、これらシートの表面改質を行ってインクによる画像記録に適した材質とさせるコロナ処理を行うことが出来る。この場合、必要に応じてコロナ処理部を筐体で封止し、当該筐体の内部を特定の雰囲気で充満させることが出来る。
【００６１】
このような場合でも、第４搬送部９１による記録媒体Ｐの搬送面は、媒体加熱部６０や第１搬送部１１などで搬送される際の搬送面の高さに揃えられる。
【００６２】
以上のように、本実施形態のインクジェット記録装置１、１ａは、記録媒体Ｐを載置する搬送ベルト１１３、２１３、３１３を用いて当該記録媒体Ｐを搬送する搬送部１１、２１、３１と、搬送される記録媒体Ｐ上にインクを吐出する記録部１２と、記録媒体Ｐ上に着弾したインクを定着させる定着部２３と、を備え、記録部１２は紫外線により硬化するインクを吐出し、定着部２３は、記録媒体Ｐ上のインクに紫外線を照射し、搬送部１１、２１、３１は、搬送対象の記録媒体Ｐを複数の搬送ベルト１１３、２１３、３１３の間で受け渡しながら、各搬送ベルト１１３、２１３、３１３の移動動作により各々平面内で移動させ、複数の搬送ベルトのうちの搬送ベルト１１３に載置された記録媒体Ｐを当該搬送ベルト１１３の移動動作により記録部１２のインク吐出面に対向させながら所定の第１の平面内で移動させ、搬送ベルト１１３により移動された記録媒体Ｐを搬送ベルト２１３に載置して、当該搬送ベルト２１３の移動動作により所定の第２の平面内で移動させて、定着部２３による紫外線の照射範囲を通過させる。
このように、無端状のベルトなどによる記録媒体Ｐの平面搬送がなされるインクジェット記録装置１において、搬送部をユニット化して複数に分け、特に定着部２３の動作に係る第２搬送部２１と画像の記録に係る第１搬送部１１とを別個に分けることで、定着部２３による紫外線（エネルギー線）とインクとの反応による発熱やエネルギー線の照射に係る構成の発熱の影響を画像記録時に及ぼさずに、より適切な環境で画像記録動作を行うことが出来る。従って、インクジェット記録装置１では、記録媒体Ｐに対してより安定して適切な画質の画像を記録し、確実に定着させることが出来る。
また、搬送部もユニット化することにより、用途などに応じて必要な機能構成と対応する搬送部のみを組み合わせてインクジェット記録装置を構成することが出来る。
また、搬送ベルトを必要に応じて各々別個に交換することが出来るので部分的な損傷や劣化などに対する交換コストを低減させることが出来る。
また、定着部２３を覆う筐体や遮光板２３１の内部（遮光範囲内）に充填される特定の気体が漏れ出す流れや、照射部を冷却する気流などが搬送ベルトに沿ってそのまま記録部１２のノズル面と記録媒体Ｐとの間に流入して飛翔するインクの着弾位置をずらしたりするのを防ぐことが出来る。
【００６３】
また、記録媒体Ｐのうち記録部１２のインク吐出面と対向した記録面を読み取る読取部３５を備え、搬送部１１、２１、３１は、搬送ベルト２１３の移動動作により移動された記録媒体Ｐを搬送ベルト３１３に載置して、当該搬送ベルト３１３の移動動作により所定の第３の平面内で移動させて、読取部３５による読み取り範囲を通過させる。
このように、定着部２３の動作に係る第２搬送部２１と記録画像の読み取りに係る第３搬送部３１とを更に別個に分けることで、定着部２３の動作に係る発熱が読み取り動作に及ぼす影響を低減することが出来る。また、個々の搬送ベルトの長さが機能構成の数に比して短いので、長大な単一の搬送ベルトを用いる場合よりも記録媒体Ｐの位置精度を向上させることが出来る。
【００６４】
また、搬送部１１、２１、３１は、搬送ベルト１１３、２１３、３１３の移動動作により各々記録媒体Ｐが移動される平面の位置を調節する調節部（搬送部３１における調節部３２３）を有する。これにより、インクジェット記録装置１の設置時や移動時などに適切に搬送面の高さを調節して合わせることが出来る。
【００６５】
また、搬送ベルト１１３、２１３、３１３の移動動作により各々記録媒体Ｐが移動される平面は、単一平面内に定められる。即ち、搬送部が複数の搬送ベルトに分割されても、当該複数の搬送ベルトによる搬送中に記録媒体Ｐを単純に所定の平面内でのみ搬送させるので、記録媒体Ｐの受け渡しの構成を簡便に定めつつ、より確実に記録媒体Ｐの受け渡しを可能とし、また、当該受け渡しによる位置精度の低下を軽減させることが出来る。また、この受け渡しに係る位置ずれの発生などを抑えることが出来る。特に、画像の記録時と画像の読取時とで位置ずれ、特に回転方向に位置ずれが生じると正確な位置と対応付けた読み取りに係る手間が大きく増大するので、容易に確実な受け渡しが可能な相対位置関係で搬送ベルトを配置することで、位置ずれやこれに伴う読み取りの手間を増大させない。
【００６６】
また、複数の搬送ベルト１１３、２１３、３１３の間での記録媒体Ｐの受け渡しは、単一平面内で行われるので、記録媒体Ｐの曲線状の移動（曲面での移動）や三次元的な移動を必要とせず、記録媒体Ｐの受け渡しに係る位置ずれの発生などを抑えることが出来る。特に、画像の記録時と画像の読取時とで位置ずれ、特に回転方向に位置ずれが生じると正確な位置と対応付けた読み取りに係る手間が大きく増大するので、容易に確実な受け渡しが可能な相対位置関係で搬送ベルトを配置することで、位置ずれやこれに伴う読み取りの手間を増大させない。
【００６７】
また、枚葉紙、特に厚紙や段ボールなどの平面搬送が適した設定されたサイズの複数の記録媒体を順次第１搬送部１１に供給する媒体供給部５０を備え、個別の記録媒体を提供する場合に、このような受け渡しの容易化及び確実化や位置ずれの低減といった効果が顕著に得られる。
【００６８】
また、搬送部１１、２１、３１は、載置される記録媒体Ｐの搬送ベルト１１３、２１３、３１３からの浮き上がり（浮上）をそれぞれ抑制する押さえローラー１１５、２１５、２１６、３１５や、第１吸着部１１４、第２吸着部２１４、第３吸着部３１４などの構成を有する。
これにより、搬送ベルトが複数に分割されても各々で適切に記録媒体が載置されて、正確な位置を保ちながら各機能動作を行うことが出来る。
【００６９】
また、搬送ベルトの各々に記録媒体Ｐを吸着させる吸引ファン（搬送ベルト１１３に吸着させる第１吸引ファン１１４３など）を有する。このように空気の吸引により記録媒体Ｐを適切に吸着させるとともに、記録媒体Ｐの吸着を終了する場合に、吸引動作を停止させることで速やか且つ確実に吸着状態を終了させることが出来る。
【００７０】
また、搬送ベルト１１３、２１３、３１３は、記録媒体Ｐが載置される載置面と、当該載置面の反対面とを貫通する開口を各々有し、吸引部は、記録媒体Ｐの上記反対面の側から開口を介して載置面側の空気を吸引することで記録媒体Ｐを搬送ベルト１１３、２１３、３１３に吸着させる。このような構成により容易且つ確実に記録媒体Ｐを搬送ベルトの載置面に平面上で吸着させて搬送することが出来る。
【００７１】
また、記録媒体Ｐを搬送ベルト１１３、２１３、３１３に押さえつける押さえローラー１１５、２１５、２１６、３１５を有する。これにより、記録媒体Ｐの載置時に初めから当該記録媒体Ｐが浮かび上がって確実に吸着されない状況の発生を防ぐことが出来る。
【００７２】
また搬送ベルト１１３に記録媒体Ｐが載置される前に当該記録媒体Ｐの温度を調節する媒体加熱部６０を備える。従って、記録媒体Ｐに対するインクの着弾や定着を好適に行えるように温度調整をして適切な状態で画像の記録を行わせることが出来る。
【００７３】
また、搬送ベルト１１３に記録媒体Ｐが載置される位置よりも当該記録媒体Ｐの搬送方向について上流側には、記録媒体Ｐにコロナ処理を行うコロナ処理部が設けられている。これにより、記録媒体Ｐが樹脂シートなどでそのままではインクの定着が好適になされない場合に、表面の材質を好適に改変してインクによる画像記録を適切に行わせることが出来るようにすることが出来る。また、このとき搬送部９１による搬送が上述の単一平面内で行われるようにすることで、同様に記録媒体Ｐの受け渡しミスや位置ずれなどを低減させて確実に搬送動作を行うことが出来る。
【００７４】
また、搬送ベルト１１３、２１３、３１３は、各々別個の無端状のベルトである。従って、容易に周回動作を行わせて複数の記録媒体Ｐを順次平面内で搬送させることが出来る。
【００７５】
また、搬送ベルト１１３、２１３、３１３のうち少なくとも一部は、スチールベルトである。このように精度の高いスチールベルトを利用し、更に、熱が伝わりやすい材質であっても定着部２３の動作や定着に係る発熱の影響をより確実に低減させることが出来るので、より精度の高い搬送位置制御を行うことが出来る。
【００７６】
なお、本発明は、上記実施の形態に限られるものではなく、様々な変更が可能である。
例えば、上記実施の形態では、記録部１２の動作に係る第１搬送部１１、定着部２３の動作に係る第２搬送部２１及び読取部３５の動作に係る第３搬送部３１を備える例を挙げて説明し、変形例では、更にコロナ処理に係る第４搬送部９１を追加して示したがこれらに限られない。例えば、読取部３５及び第３搬送部３１がなくても良いし、或いは、その他の機能構成及びこれらに係る搬送部が各所に設けられていても良い。
【００７７】
また、上記実施の形態では、第１の平面、第２の平面と第３の平面が全て同一平面内にあるように設定した例を示したが、これに限るものではない。例えば、定着部２３が照射する紫外光が他の搬送面に照射される量をより低減するために搬送部間で段差をつけることも可能である。この場合、記録媒体が適切に受け渡されるように受け渡しに係る構成が適宜追加されても良い。
【００７８】
また、上記実施の形態では、記録媒体Ｐとして段ボール材を例に挙げて説明したが、これに限られない。但し、通常の記録紙など曲がりやすい材質のものが用いられる場合には、搬送ベルト間で上流側の搬送ベルトから確実に外れるように、ガイド部材が設けられたり、搬送ベルトの開口から吸気の代わりに排気を行わせて記録媒体を浮かせたりすることとしても良い。
【００７９】
また、上記実施の形態では、紫外線硬化型のインクを用いて紫外線を照射することで記録媒体Ｐに着弾したインクを硬化、定着させたが、他のエネルギー線により硬化定着するインクでも良く、この場合には当該インクを定着させるエネルギー線が定着部２３から照射されれば良い。
【００８０】
また、上記実施の形態では、温度調節部として媒体加熱部６０が記録媒体Ｐを加熱することとしたが、記録媒体Ｐを冷却する必要が有る場合には、当該冷却を行う構成が温度調節部に含まれる。
【００８１】
また、上記実施の形態では、個別の記録媒体を順次供給して画像の記録を行ったが、本発明のインクジェット記録装置は、連続的な記録媒体上に所定の間隔で記録を行った後、後処理で切断分離する構成に用いられても良い。
【００８２】
また、上記実施の形態では、記録媒体Ｐの浮き上がりを抑制する構成として押さえローラーと空気の吸引による搬送ベルトへの吸着を組み合わせた例を挙げて説明したが、これらに限られない。例えば、押さえローラーの代わりに回転しない固定されたガイド部材が用いられても良いし、空気の吸引ではなく、静電気などを用いた吸着であっても良い。
【００８３】
また、上記実施の形態では、各機能構成を全て別個の搬送部に区分けして記録媒体の搬送を行うこととしたが、定着部などの熱伝導が適切に防げれば、複数の機能構成に係る動作が一つの搬送部上で実行されても良い。
その他、上記実施の形態で示した構成、構造や配置、順序などの具体的な細部は、本発明の趣旨を逸脱しない範囲において適宜変更可能である。
【産業上の利用可能性】
【００８４】
この発明は、インクジェット記録装置に利用することができる。
【符号の説明】
【００８５】
１、１ａ インクジェット記録装置
１１ 第１搬送部
１１１ 駆動ローラー
１１２ 従動ローラー
１１３ 搬送ベルト
１１４ 第１吸着部
１１４１ 第１吸引ファン駆動部
１１４２ 支持板
１１４３ 第１吸引ファン
１１５ 押圧ローラー
１１７ 第１押圧モーター
１１８ 第１搬送モーター
１２ 記録部
１２Ｙ、１２Ｍ、１２Ｃ、１２Ｋ ヘッドユニット
１２１ ヘッド駆動部
１２２ インク温度計測部
１２３ インクヒーター
２１ 第２搬送部
２１１ 駆動ローラー
２１２ 従動ローラー
２１３ 搬送ベルト
２１４ 第２吸着部
２１４１ 第２吸引ファン駆動部
２１５、２１６ 押圧ローラー
２１７ 第２押圧モーター
２１８ 第２搬送モーター
２３ 定着部
２３１ 遮光板
２４ 冷却部
２４１ 冷却ファン駆動部
３１ 第３搬送部
３１１ 駆動ローラー
３１２ 従動ローラー
３１３ 搬送ベルト
３１４ 第３吸着部
３１４１ 第３吸引ファン駆動部
３１５ 押圧ローラー
３１７ 第３押圧モーター
３１８ 第３搬送モーター
３２１ 柵部
３２２ 脚部
３２３ 調節部
３５ 読取部
４０ 制御部
４０１ ＣＰＵ
４０２ ＲＡＭ
４０３ 記憶部
４０３ａ プログラム
４１３ 搬送部加熱制御部
４１４ 吸引制御部
４１７ 押圧制御部
４１８ 搬送制御部
４２１ ヘッド制御部
４２２ インク加熱制御部
４３ 定着制御部
４４ 冷却制御部
４５ 読取制御部
５０ 媒体供給部
５０１ 媒体積載部
５０２ 位置合わせ部
５５ 媒体排出部
５５１ 排出トレー
６０ 媒体加熱部
６０１ 加熱ローラー
６０５ 加熱室
６１１ 媒体ヒーター
６１２ 空気ヒーター
６１９ 搬送面温度計測部
７１ 操作表示部
７１１ 操作検出部
７１２ 表示部
７２ 通信部
９１ 搬送部
９１１ 駆動ローラー
９１２ 従動ローラー
９１３ 搬送ベルト
９１４ 電極
Ｐ 記録媒体
【図１】
2017203991.tif 000003
【図２】
2017203991.tif 000004
【図３】
2017203991.tif 000005
【図４】
2017203991.tif 000006
【図５】
2017203991.tif 000007
【国際調査報告】
2017203991.tif 000008
2017203991.tif 000009
2017203991.tif 000010
2017203991.tif 000011